【事件の表示】
　特許第３１６７１３５号「２端子型アクティブマトリクス液晶表示装置及びその駆動方法」の請求項１ないし１３に係る特許に対する特許異議の申立てについて、次のとおり決定する。
【結　論】
　訂正を認める。
　特許第３１６７１３５号の請求項１ないし１１に係る特許を維持する。
【理　由】
１．手続の経緯
　特許第３１６７１３５号の請求項１〜１３に係る発明についての出願は、１９９３年６月２１日（優先権主張１９９２年６月１９日、日本国）を国際出願日とする出願であって、平成１３年３月９日にその発明についての特許権の設定登録がされ、その後、その特許について、異議申立人セイコーエプソン株式会社により特許異議の申立てがなされ、取消の理由が通知され、その指定期間内である平成１４年４月２日に訂正請求がなされたものである。
　
２．訂正の適否についての判断
(1) 訂正の内容
　特許権者が求めている訂正の内容は、以下のとおりである。
・訂正事項a
　特許請求の範囲に係る記載
「【請求項１】複数のデータ線及び走査線と、該データ線及び走査線の交点に対応して設けられた液晶画素を有し、該液晶画素は少なくとも１つの２端子型スイッチング素子とを有し、走査線に印加される走査信号とデータ線に印加されるデータ信号により液晶表示画素が駆動される２端子型アクティブマトリクス液晶表示装置の駆動方法に於いて、該走査信号は前記液晶表示画素に蓄積される電荷を書き込む為の選択期間と、該選択期間に先立ち、前記２端子型スイッチング素子に電流を印加する為の電流印加期間と、該選択期間に続き、前記液晶表示画素の電荷を保持する為の保持期間を有する事を特徴とする２端子型アクティブマトリクス液晶表示装置の駆動方法。
【請求項２】前記走査信号は前記液晶表示画素及び前記２端子型スイッチング素子に第１の極性の電圧を印加する第１の選択期間と第２の極性の電圧を印加する第２の選択期間を有し、それぞれの選択期間に先立つ電流印加期間では該選択期間の電圧と逆極性の電圧が前記２端子型スイッチング素子に印加される事を特徴とする請求範囲第１項の２端子型アクティブマトリクス液晶表示装置の駆動方法。
【請求項３】前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間と逆極性の書込みをする選択期間の電位と等しい電位を有する事を特徴とする請求範囲第２項の２端子型アクティブマトリクス液晶表示装置の駆動方法。
【請求項４】前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間の電圧と逆極性の電圧及び同極性の電圧が前記２端子型スイッチング素子に印加される事を特徴とする請求範囲第１項の２端子型アクティブマトリクス液晶表示装置の駆動方法。
【請求項５】前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間と逆極性の書込みをする選択期間の電位と等しい電位あるいは、該選択期間と同極性の選択期間の電位と等しい電位を有する事を特徴とする請求範囲第４項の２端子型アクティブマトリクス液晶表示装置の駆動方法。
【請求項６】前記走査信号は前記２端子型スイッチング素子に第１の極性の電圧を印加する第１の選択期間と第２の極性の電圧を印加する第２の選択期間を有し、それぞれの選択期間に先立つ電流印加期間の電位の絶対値は該選択期間の電位の絶対値より大きい事を特徴とする請求範囲第１項の２端子型アクティブマトリクス液晶表示装置の駆動方法。
【請求項７】前記走査信号の電流印加期間の長さは選択期間の長さと等しい事を特徴とする請求範囲第１項の２端子型アクティブマトリクス液晶表示装置の駆動方法。
【請求項８】前記走査信号の電流印加期間の長さは選択期間の長さより長い事を特徴とする請求範囲第１項の２端子型アクティブマトリクス液晶表示装置の駆動方法。
【請求項９】前記走査信号の電流印加期間は他の走査線に印加される走査信号の選択期間を利用する事を特徴とする請求範囲第１項の２端子型アクティブマトリクス液晶表示装置の駆動方法。
【請求項１０】前記走査信号の選択期間と該選択期間に先立つ電流印加期間は連続している事を特徴とする請求範囲第１項の２端子型アクティブマトリクス液晶表示装置の駆動方法。
【請求項１１】前記走査信号の電流印加期間と選択期間の間に２端子型スイッチング素子に電流を印加しない電位を有する期間が挿入されている事を特徴とする請求範囲第１項の２端子型アクティブマトリクス液晶表示装置の駆動方法。
【請求項１２】前記データ信号がそれぞれの期間で取り得る最大値と最小値の中間値を基準電位とした時に、該基準電位は選択期間と該選択期間に先立つ電流印加期間で変動する事を特徴とする請求範囲第１項の２端子型アクティブマトリクス液晶表示装置の駆動方法。
【請求項１３】複数のデータ線及び走査線、と該データ線及び走査線の交点に対応して設けられた液晶画素を有し、該液晶画素は少なくとも１つの２端子型スイッチング素子とを有し、且つ該走査線、データ線、該液晶画素及び該２端子型スイッチング素子とを制御するコントロール回路を含む制御手段を有しており、該制御手段の制御信号に応答して、該走査線に印加される走査信号とデータ線に印加されるデータ信号により液晶表示画素が駆動される２端子型アクティブマトリクス液晶表示装置であって、当該制御手段には、少なくとも該走査信号が該液晶表示画素に蓄積される電荷を書き込む為の所定の選択期間に先立って、該２端子型スイッチング素子２に電流を印加する為、電流印加期間を設定する電流印加期間設定手段、該電流印加期間中に該２端子型スイッチング素子に印加される電流の極性を決定する極性設定手段、該２端子型スイッチング素子に印加される電流の電圧を設定する為の電圧設定手段及び該２端子型スイッチング素子に印加される電流の印加回数を適宜の回数に設定する電流印加回数設定手段４とが設けられているものである事を特徴とする２端子型アクティブマトリクス液晶表示装置。」を
「【請求項１】複数のデータ線及び走査線と、該データ線及び走査線の交点に対応して設けられた液晶画素を有し、該液晶画素は少なくとも１つの２端子型スイッチング素子とを有し、走査線に印加される走査信号とデータ線に印加されるデータ信号により液晶表示画素が駆動される２端子型アクティブマトリクス液晶表示装置の駆動方法に於いて、該走査信号は、前記液晶表示画素に蓄積される電荷を書き込む為の選択期間と、該選択期間に先立つ複数の他の走査信号の選択期間を利用して前記２端子型スイッチング素子に閾値電圧以上の電圧を加えて電流を印加する複数回の電流印加期間と、該選択期間に続き、前記液晶表示画素の電荷を保持する為の保持期間を有し、該選択期間の直前の該電流印加期間の電圧は選択期間の電圧と逆極性である事を特徴とする２端子型アクティブマトリクス液晶表示装置の駆動方法。
【請求項２】前記走査信号は前記２端子型スイッチング素子に第１の極性の電圧を印加する第１の選択期間と第２の極性の電圧を印加する第２の選択期間を有し、それぞれの選択期間に先立つ前記電流印加期間では該選択期間の電圧と逆極性の前記閾値電圧以上の電圧が前記２端子型スイッチング素子に印加される事を特徴とする請求範囲第１項の２端子型アクティブマトリクス液晶表示装置の駆動方法。
【請求項３】前記走査信号は前記２端子型スイッチング素子に第１の極性の電圧を印加する第１の選択期間と第２の極性の電圧を印加する第２の選択期間を有し、それぞれの選択期間に先立つ前記電流印加期間では該選択期間と逆極性の書込みをする選択期間の電位と等しい電位を有する事を特徴とする請求範囲第２項の２端子型アクティブマトリクス液晶表示装置の駆動方法。
【請求項４】前記走査信号は前記２端子型スイッチング素子に第１の極性の電圧を印加する第１の選択期間と第２の極性の電圧を印加する第２の選択期間を有し、それぞれの選択期間に先立つ前記電流印加期間では該選択期間の電圧と逆極性の電圧及び同極性の電圧が前記２端子型スイッチング素子に前記閾値電圧以上で印加される事を特徴とする請求範囲第１項の２端子型アクティブマトリクス液晶表示装置の駆動方法。
【請求項５】前記走査信号は前記２端子型スイッチング素子に第１の極性の電圧を印加する第１の選択期間と第２の極性の電圧を印加する第２の選択期間を有し、それぞれの選択期間に先立つ前記電流印加期間の電位の絶対値は該選択期間の電位の絶対値より大きく、且つ前記２端子型スイッチング素子の前記閾値電圧以上である事を特徴とする請求範囲第１項の２端子型アクティブマトリクス液晶表示装置の駆動方法。
【請求項６】前記走査信号の前記電流印加期間の長さは前記選択期間の長さと等しい事を特徴とする請求範囲第１項の２端子型アクティブマトリクス液晶表示装置の駆動方法。
【請求項７】前記走査信号の前記電流印加期間の長さは前記選択期間の長さより長い事を特徴とする請求範囲第１項の２端子型アクティブマトリクス液晶表示装置の駆動方法。
【請求項８】前記走査信号の前記選択期間と該選択期間に先立つ前記電流印加期間は連続している事を特徴とする請求範囲第１項の２端子型アクティブマトリクス液晶表示装置の駆動方法。
【請求項９】前記走査信号の選択期間の電圧と逆極性の電圧が印加される該選択期間の直前の前記電流印加期間と前記選択期間の間に前記２端子型スイッチング素子に電流を印加しない電位を有する期間が挿入されている事を特徴とする請求範囲第１項の２端子型アクティブマトリクス液晶表示装置の駆動方法。
【請求項１０】前記データ信号がそれぞれの期間で取り得る最大値と最小値の中間値を基準電位とした時に、該基準電位は前記選択期間と該選択期間に先立つ前記電流印加期間で変動する事を特徴とする請求範囲第１項の２端子型アクティブマトリクス液晶表示装置の駆動方法。
【請求項１１】複数のデータ線及び走査線、と該データ線及び該走査線の交点に対応して設けられた液晶画素を有し、該液晶画素は少なくとも１つの２端子型スイッチング素子とを有し、且つ該走査線、該データ線、該液晶画素及び該２端子型スイッチング素子とを制御するコントロール回路を含む制御手段を有しており、該制御手段の制御信号に応答して、該走査線に印加される走査信号と該データ線に印加されるデータ信号により該液晶表示画素が駆動される２端子型アクティブマトリクス液晶表示装置であって、当該制御手段には、少なくとも該走査信号が該液晶表示画素に蓄積される電荷を書き込む為の所定の選択期間に先立って、該２端子型スイッチング素子に電流を印加する為、電流印加期間を設定する電流印加期間設定手段、該電流印加期間中に該２端子型スイッチング素子に印加される電流の極性を決定する極性設定手段、少なくとも該電流印加期間に該２端子型スイッチング素子に閾値電圧以上の電圧を設定する為の電圧設定手段及び該２端子型スイッチング素子に印加される電流の印加回数を適宜の複数の回数に設定する電流印加回数設定手段とが設けられているものである事を特徴とする２端子型アクティブマトリクス液晶表示装置。」（以下、請求項１〜１１に係る発明を、それぞれ「本件発明１」〜「本件発明１１」という。）と訂正する。
・訂正事項b
　特許明細書第９頁第２行目（特許公報第９欄第１８行目）の
「Ｈ′（ｎ＋１）は及び負極性の」を
「Ｈ′（ｎ＋１）及び負極性の」と訂正する。
　特許明細書第９頁第７〜８行目（特許公報第９欄第２４行目）の
「取っている期間２６と３１であり、」を
「取っている期間は２６と３１であり、」と訂正する。
　特許明細書第１１頁第２１行目（特許公報第１１欄第４行目）の
「正極性の選択期間ならの２行前の期間」を
「正極性の選択期間ならば２行前の期間」と訂正する。
　特許明細書第１２頁第９行目（特許公報第１１欄第２２行目）の
「電圧が逆極性の為最大電流となる。このように電流が」を
「電圧が逆極性のとき最大電流となる。このように電流が」と訂正する。
　
(2) 訂正の目的の適否、新規事項の有無、及び、特許請求の範囲の拡張・変更の存否
　上記訂正事項ａは、詳細には以下（ア）〜（チ）のように訂正するものである。
（ア）請求項５、９を削除した上で、請求項６以下の請求項を順次繰り上げる。
（イ）請求項１の「該走査信号は」を「該走査信号は、」と訂正する。
（ウ）請求項１の「該選択期間に先立ち、前記２端子型スイッチング素子に電流を印加する為の電流印加期間」を、「該選択期間に先立つ複数の他の走査信号の選択期間を利用して前記２端子型スイッチング素子に閾値電圧以上の電圧を加えて電流を印加する複数回の電流印加期間」と訂正するものである。
（エ）請求項１に「選択期間の直前の該電流印加期間の電圧は選択期間の電圧と逆極性である」点を、構成要件として付加する訂正をするものである。
（オ）請求項２の「前記液晶表示画素及び前記２端子型スイッチング素子」を「前記２端子スイッチング素子」と訂正する。
（カ）請求項２の「それぞれの選択期間に先立つ電流印加期間では該選択期間の電圧と逆極性の電圧が前記２端子型スイッチング素子に印加される」を「それぞれの選択期間に先立つ前記電流印加期間では該選択期間の電圧と逆極性の前記閾値電圧以上の電圧が前記２端子型スイッチング素子に印加される」と訂正する。
（キ）請求項３、６（旧請求項７）、７（旧請求項８）、８（旧請求項１０）、１０（旧請求項１２）の「電流印加期間」を「前記電流印加期間」と訂正する。
（ク）請求項４の「それぞれの選択期間に先立つ電流印加期間では該選択期間の電圧と逆極性の電圧及び同極性の電圧が前記２端子型スイッチング素子に印加される」を「それぞれの選択期間に先立つ前記電流印加期間では該選択期間の電圧と逆極性の電圧及び同極性の電圧が前記２端子型スイッチング素子に前記閾値電圧以上で印加される」と訂正する。
（ケ）請求項６（旧請求項７）、７（旧請求項８）、８（旧請求項１０）、９（旧請求項１１）、１０（旧請求項１２）の「選択期間」を「前記選択期間」と訂正する。
（コ）請求項９（旧請求項１１）の「走査信号の電流印加期間」を「走査信号の選択期間の電圧と逆極性の電圧が印加される該選択期間の直前の前記電流印加期間」と訂正する。
（サ）請求項９（旧請求項１１）の「２端子型スイッチング素子」を「前記２端子型スイッチング素子」と訂正する。
（シ）請求項１１（旧請求項１３）の「走査線」を「該走査線」と訂正する。
（ス）請求項１１（旧請求項１３）の「データ線」を「該データ線」と訂正する。（２箇所）
（セ）請求項１１（旧請求項１３）の「液晶表示画素」を「該液晶表示画素」と訂正する。
（ソ）請求項１１（旧請求項１３）の「２端子型スイッチング素子２に」を「２端子型スイッチング素子に」と訂正する。
（タ）請求項１１（旧請求項１３）の「該２端子型スイッチング素子に印加される電流の電圧を設定する為の電圧設定手段」を「少なくとも該電流印加期間に該２端子型スイッチング素子に閾値電圧以上の電圧を設定する為の電圧設定手段」と訂正する。
（チ）請求項１１（旧請求項１３）の「２端子型スイッチング素子に印加される電流の印加回数を適宜の回数に設定する電流印加回数設定手段４と」を「２端子型スイッチング素子に印加される電流の印加回数を適宜の複数の回数に設定する電流印加回数設定手段と」と訂正する。
　以下、上記（ア）〜（チ）の訂正事項について検討する。
　（ア）の訂正事項は、単なる請求項の削除である。
　（イ）の訂正事項は、句読点を挿入することにより、表現をより明瞭にするものである。
　（ウ）の訂正事項は、「該選択期間に先立ち、前記２端子型スイッチング素子に電流を印加する為の電流印加期間」を、「該選択期間に先立つ複数の他の走査信号の選択期間を利用して前記２端子型スイッチング素子に閾値電圧以上の電圧を加えて電流を印加する複数回の電流印加期間」と限定するものである。そして、２端子スイッチング素子に電流を印加するということは、該素子に閾値電圧以上の電圧を加えること意味しており、また、他の構成要件は、特許明細書の第８頁第２２行〜第９頁第９行（特許公報第５頁左欄第９行〜第２６行）及び特許明細書の第１２頁第２３行〜第２４行（特許公報第６頁右欄第６行〜第７行）並びに図１に実質的に記載されている。
　（エ）の訂正事項は、請求項１に係る発明において、「選択期間の直前の該電流印加期間の電圧は選択期間の電圧と逆極性である」点を限定するものであり、特許明細書の第９頁第１０行〜第９頁最終行（特許公報第５頁左欄第２７行〜第４７行）及び図１に実質的に記載されている。
　（オ）の訂正事項は、請求項２に係る発明において、走査信号として、第１の極性の電圧及び第２の極性の電圧を印加する箇所を「前記液晶表示画素及び前記２端子型スイッチング素子」から「前記２端子スイッチング素子」と訂正するものであるが、請求項２が引用している請求項１には、「データ線及び該走査線の交点に対応して設けられた液晶画素を有し、該液晶画素は少なくとも１つの２端子型スイッチング素子とを有し、且つ該走査線、該データ線、該液晶画素及び該２端子型スイッチング素子とを制御するコントロール回路を含む制御手段を有しており、該制御手段の制御信号に応答して、該走査線に印加される走査信号と該データ線に印加されるデータ信号により該液晶表示画素が駆動される２端子型アクティブマトリクス液晶表示装置」が構成要件となっており、この構成要件からみて、走査線の信号が液晶表示画素に印加されるのは明らかであるし、請求項３乃至５の記載との整合性を図ったものであるから、この訂正事項は、明瞭でない記載の釈明に該当し、実質的に特許請求の範囲を拡張又は変更するものではない。
　（カ）の訂正事項は、請求項２に係る発明において、「電流印加期間」の前に「前記」を加え、表現をより明瞭にするとともに、電流印加期間に印加する、選択期間の電圧と逆特性の電圧を、閾値電圧以上であると限定するものである。そして、この点は、請求項２が引用する請求項１と「閾値電圧以上」である点で整合性を図ったものである。
　（キ）の訂正事項は、「電流印加期間」の前に「前記」を加え、表現をより明瞭にするものである。
　（ク）の訂正事項は、請求項４に係る発明において、「電流印加期間」の前に「前記」を加え、表現をより明瞭にするとともに、電流印加期間に印加する、選択期間の電圧と逆極性の電圧及び同極性の電圧を、閾値電圧以上であると限定するものである。そして、この点は、請求項４と「閾値電圧以上」である点で整合性を図ったものである。
　（ケ）の訂正事項は、「選択期間」の前に「前記」を加え、表現をより明瞭にするものである。
　（コ）の訂正事項は、「電流印加期間」の前に「前記」を加え、表現をより明瞭にするとともに、２端子スイッチング素子に電流を印加しない電位を有する期間を挿入するタイミングが、選択期間の電圧と逆極性の電圧が印加される選択期間の直前の電流印加期間と選択期間の間である点を限定したものである。そして、この点は、特許明細書の第９頁第１０行〜第１０頁第８行（特許公報第５頁左欄第２７行〜右欄第７行）及び図１に実質的に記載されている。
　（サ）の訂正事項は、「２端子型スイッチング素子」の前に「前記」を加え、表現をより明瞭にするものである。
　（シ）の訂正事項は、「走査線」の前に「該」を加え、表現をより明瞭にするものである。
　（ス）の訂正事項は、「データ線」の前に「該」を加え、表現をより明瞭にするものである。
　（セ）の訂正事項は、「液晶表示画素」の前に「該」を加え、表現をより明瞭にするものである。
　（ソ）の訂正事項は、「２端子型スイッチング素子２に」を「２端子型スイッチング素子に」として、表現をより明瞭にするものである。
　（タ）の訂正事項は、「２端子型スイッチング素子に印加される電流の電圧」を「閾値電圧以上の電圧」として、表現をより明瞭にするとともに、該電圧の設定を「少なくとも電流印加期間に」行う点を限定したものである。そして、この点は特許明細書の第６頁第４行〜第２１行（特許公報第４頁左欄第２１行〜第４３行）に実質的に記載されている。
　（チ）の訂正事項は、「電流印加回数設定手段４と」を「電流印加回数設定手段と」として、表現をより明瞭にするとともに、「２端子型スイッチング素子に印加される電流の印加回数を適宜の複数の回数」と限定したものである。そして、この点は特許明細書の第１２頁第２３行〜第２４行（特許公報第６頁右欄第６行〜第７行）及び図１に実質的に記載されている。
　（ア）〜（チ）の訂正事項については上記のとおりであるから、これらの訂正事項はいずれも特許請求の範囲の減縮、誤記の訂正または明瞭でない記載の釈明を目的とするものであって、新規事項の追加に該当せず、実質的に特許請求の範囲を拡張又は変更するものではない。
　
・訂正事項ｂ
　訂正事項ｂは、明らかに誤記の訂正を目的とするものであって、新規事項の追加に該当せず、実質的に特許請求の範囲を拡張又は変更するものではない。
　
(3) むすび
　したがって、上記訂正は、特許法等の一部を改正する法律（平成６年法律第１１６号）附則第６条第１項の規定によりなお従前の例によるとされる、特許法第１２０条の４第３項で準用する平成６年法律第１１６号による改正前の第１２６条第１項ただし書及び第２項の規定に適合するので、当該訂正を認める。
　
３．特許異議の申立て
(1) 申立ての理由の概要
　申立人は、下記の甲第１及び２号証を提出し、特許第３１６７１３５号の請求項１〜３，６〜１０，１２，１３に係る発明は、甲第１号証に記載された発明であり、同請求項１〜１３に係る発明は、同号証に記載された発明に基づいて、当業者が容易に発明をすることができたものであり、同請求項１，２，１０，１３に係る発明は、甲第２号証に記載された発明であるか、同号証に記載された発明に基づいて、当業者が容易に発明をすることができたものであるから、特許法第２９条第１項第３号に規定する発明に該当するか、特許法第２９条第２項の規定により、特許を受けることができない発明であって、また、請求項２，３，５，１３に係る発明の特許は、その明細書が特許法第３６条第５項第２号に規定する要件を満たしていないので、これら発明に係る特許は取り消されるべきものである旨主張している。
　甲第１号証：特開平３−７３９２４号公報（以下、「刊行物１」という。）
　甲第２号証：特開昭６０−１２０３９９号公報（以下、「刊行物２」という。）
　
(2) 新規性・進歩性について
Ａ．本件発明
　上記２．で示したように上記訂正が認められるから、本件発明は、平成１４年４月２日付けの訂正請求書により訂正された特許請求の範囲の請求項１乃至１１に記載されたとおりのものである。（上記訂正事項ａ参照。）
　
Ｂ．引用刊行物に記載された発明
　申立人が提出した刊行物１には、
「第３図はＭＩＭ方式の２端子型アクティブマトリクス液晶表示装置である。Ｃ１，Ｃ２，Ｃ３はデータ線５、Ｒ１，Ｒ２，Ｒ３は走査線６であり、そのデータ線５と走査線６の交点に対応して液晶表示画素１０と２端子スイッチング素子であるＭＩＭ３０が配置されている。」（２頁左上欄１９行〜右上欄４行）、
「従来の駆動方法で問題が生ずるのは、２端子型スイッチング素子の液晶表示画素の駆動能力が十分でない場合である。２端子型スイッチング素子の駆動能力で問題となるのは次の２点である。
　（イ）　容量比α＝ＣＬＣ／ＣＲＷ　　　　　　　
　　　　　　　ＣＲＷ；２端子型スイッチング素子容量
　　　　　　　ＣＬＣ；液晶表示画素容量
　（ロ）　書き込み区間での電流駆動能力
この２つの値が十分でない場合、書き込み区間での書き込み特性（ダイナミックレンジ）と、保持区間での保持特性（クロストーク）に問題が出る。クロストークについては、全体を均一にする事は可能でコントラストは落ちるが致命的ではない。しかし、書き込み特性は極端な場合は表示も不可能になる点で問題が大きい。
　容量比αは液晶表示画素が大きくＣＬＣ／ＣＲＷが４〜５以上とれるような設計では問題がない。しかし、液晶プロジェクターや液晶ビュウファインダー等小型高密度の用途ではＣＬＣ／ＣＲＷは３以下、極端な場合は１を割るケースさえ生じ従来の駆動法では対応できない。
　書き込み区間での電流駆動能力についても、ダイオードリング等では良好だが素子面積の小さな小型高密度の用途には問題となる。まして、生産性を考慮してより構造の簡単なＭＩＭを用いた場合には非常に問題である。」（２頁左下欄３行〜右下欄８行）、
「走査信号φ１＊、φ２＊、φ３＊、は、それぞれのフィールドＴＡ及びＴＢの区間ＴＡ１、ＴＡ２、ＴＡ３及びＴＢ１、ＴＢ２、ＴＢ３で線順次に選択される記号である。走査記号φ１＊について見ると、正の書き込み区間ＴＷ１では正の書き込み電圧ＶＷ１が負の書き込み区間ＴＷ２では負の書き込み電圧ＶＷ２が、正の保持区間ＴＨ１では正の保持電圧ＶＨ１が負の保持区間ＴＨ２では負の保持電圧ＶＨ２が印加される。この点では第４図に示した従来例と同様である。本発明の走査信号の特徴は書き込み区間の前にこの書き込み電圧とは逆極性で且つ書き込み電圧の絶対値と等しいかそれ以上の大きさの絶対値の電圧のリセット電圧をとるリセット区間を設けた事にある。即ち、正の書き込み区間ＴＷ１の前には負のリセット区間ＴＲ１、負の書き込み区間ＴＷ２の前には正のリセット区間ＴＲ２を設け、それぞれのリセット電圧を書き込み電圧より絶対値で高めに設定している。」（３頁左上欄９行〜右上欄６行）、
「駆動回路の動作電圧を節約するには、駆動回路の動作電圧をこの最大電圧を最小電圧の差、ここではＶＲ２−ＶＨ２（ＶＨ１−ＶＲ１）に設定できる事が公知である。そのためにはこの２つのタイミング間電圧差ＶＲ２−ＶＨ１（ＶＨ２−ＶＲ１）を持つ信号（第７図Ｘ）を第１図の走査信号から差し引けば第７図の走査信号φ１＊、φ２＊、φ３＊となり、動作電圧がＶＲ２−ＶＨ１（ＶＨ２−ＶＲ１）の分だけ節約出来る。
　本実施例ではリセット区間のタイミングを直前の走査線の書き込み区間で行ったが、独立に或いはずらしても構わない。
　又、リセット区間の長さは後述する第６図の説明図の如く書き込み区間よりも長くとった方が本発明の効果が大きい。」（３頁右上欄１５行〜左下欄９行）、及び、
「尚、本実施例では書き込み区間の直前にリセット区間を設けたが、間に他の電圧の区間を挿入しても本発明の効果は変わらず本発明に包含される。
　又、本実施例では走査信号φ１＊、φ２＊、φ３＊の書き込み区間ＴＡ１、ＴＡ２、ＴＡ３及びＴＢ１、ＴＢ２、ＴＢ３を連続させたが、間に適当な区間を挿入しても構わない。」（４頁左下欄１行〜７行）と記載され、
第１図、第６図及び第７図には、２端子型アクティブマトリクス液晶表示装置の駆動方法の走査信号を示す波形図が示されている。
　同じく刊行物２には、
「第２図の単位画素にて６は走査電極線である。７は信号電極線である。８は二端子素子であるＭｉＭダイオード、９は電気光学素子である液晶層、および表示電極で構成される表示画素コンデンサである。」（２頁７行〜１１行）、
「以上述べた書込み期間と保持期間で構成される従来の駆動方法の問題点は、書込み期間直後の表示画素コンデンサの電荷が、その書込み期間の前の書込み期間で書込んだ電荷に依存することである。第４図を用いて説明する。書込み期間Ｗおよびその前後の保持期間Ｈ１、Ｈ２を示す。
　縦軸は表示画素コンデンサ９の両端の電圧である。横軸は時間である。１８は保持期間Ｈ１でオフ表示の時、１９はオン表示の時の表示画素コンデンサ９の両端の電圧である。２２は書込み期間Ｗでオン表示に対応する電荷を書込んだ時の保持期間Ｈ２での電圧、２０，２１はオフ表示を書込んだ時の電圧である。オン表示を書込んだ時は、保持期間Ｈ１で表示がオン１８、オフ１９のいずれの場合も、書込み後の電圧は２２となる。
　すなわち書込み期間前の表示状態に依存せずオン表示電圧２２を得る。一方オフ表示を書込み期間Ｗで書込んだ場合は、保持期間Ｈ１でオフ表示の場合１８は電圧２０となり、保持期間Ｈ２でオン表示の場合１９は、電圧２１となる。」（２頁右上欄１４行〜左下欄１３行）、及び、
「第６図に本発明による駆動信号波形を示す。第６図の実線は走査電極信号波形、点線が信号電極信号波形である。駆動信号波形は３つの期間で構成される。従来例と同様の書込み期間Ｗと保持期間Ｈおよび本発明で付加した電荷調整期間Ｒである。走査電極線には、書込み期間には選択信号２９、３２、３５を、保持期間には保持信号３０、３３を従来どうり印加する。信号電極には、画素がオン表示の時にはオン信号３５、３６、３７を印加し、画素がオフ表示の時には、オフ信号３８、３９、４０を従来どうり印加する。新たに電荷調整期間Ｒでは走査電極線に電荷調整選択信号２８，３１，３４を印加し、信号電極線には電荷調整信号４１を印加する。電荷調整期間Ｒにて、表示画素コンデンサに蓄えられた電荷と同符号の電荷を該コンデンサに注入し、電荷量を増す。」（３頁左上欄６行〜右上欄１行）と記載され、
第６図には、ダイオード型表示装置の駆動信号波形が示されている。
　
Ｃ．対比・判断
・本件発明１について
　本件発明１と刊行物１及び２記載の発明とを比較すると、刊行物１及び２のいずれにも「選択期間に先立つ複数の他の走査信号の選択期間を利用して前記２端子型スイッチング素子に閾値電圧以上の電圧を加えて電流を印加する複数回の電流印加期間」を有する点及び「該選択期間の直前の該電流印加期間の電圧は選択期間の電圧と逆極性である」点が、記載も示唆もされていない。
　そして、本件発明は、上記点により、特許明細書記載の「強制的にスイッチング素子に電流を印加し、閾値Ｖthを変化させて安定させることにより焼き付き、残像を低減させる」（特許明細書第１３頁第５行〜第７行（特許公報第６頁第１６行〜第１８行））という効果を奏するものである。
　よって、本件発明１は、申立人が提出した刊行物１または２に記載された発明ではなく、これらの発明に基づいて当業者が容易に発明できたものでもないので、特許法第２９条第１項第３号または同第２項の規定に違反しているとはいえない。
　
・本件発明２〜１０について
　本件発明２〜１０に係る発明は、いずれも本件発明１を引用するものであり、上記「本件発明１について」で述べた理由と同じ理由により、特許法第２９条第１項第３号または同第２項の規定に違反しているとはいえない。
　
・本件発明１１について
　本件発明１１と刊行物１及び２記載の発明とを比較すると、刊行物１及び２のいずれにも「少なくとも該電流印加期間に該２端子型スイッチング素子に閾値電圧以上の電圧を設定する為の電圧設定手段及び該２端子型スイッチング素子に印加される電流の印加回数を適宜の複数の回数に設定する電流印加回数設定手段とが設けられている」点が、記載も示唆もされていない。
　そして、本件発明は、上記点により、特許明細書記載の「強制的にスイッチング素子に電流を印加し、閾値Ｖthを変化させて安定させることにより焼き付き、残像を低減させる」（特許明細書第１３頁第５行〜第７行（特許公報第６頁第１６行〜第１８行））という効果を奏するものである。
　よって、本件発明１１は、申立人が提出した刊行物１または２に記載された発明ではなく、これらの発明に基づいて当業者が容易に発明できたものでもないので、特許法第２９条第１項第３号または同第２項の規定に違反しているとはいえない。
　
(3) 記載不備について
　申立人が主張している記載不備については、平成１４年４月２日付けの訂正により全て解消されたので、本件は、その明細書が特許法第３６条第５項第２号に規定する要件を満たしていないとはいえない。
　
４．むすび
　以上のとおりであるから、特許異議申立ての理由及び証拠によっては、本件発明１乃至１１の特許を取り消すことはできない。
　また、他に本件発明１乃至１１の特許を取り消すべき理由を発見しない。
　よって、結論のとおり決定する。
【異議決定日】
平成１４年４月１８日（２００２．４．１８）
【訂正の要旨】
・訂正事項ａ
　特許請求の範囲に係る記載
「【請求項１】複数のデータ線及び走査線と、該データ線及び走査線の交点に対応して設けられた液晶画素を有し、該液晶画素は少なくとも１つの２端子型スイッチング素子とを有し、走査線に印加される走査信号とデータ線に印加されるデータ信号により液晶表示画素が駆動される２端子型アクティブマトリクス液晶表示装置の駆動方法に於いて、該走査信号は前記液晶表示画素に蓄積される電荷を書き込む為の選択期間と、該選択期間に先立ち、前記２端子型スイッチング素子に電流を印加する為の電流印加期間と、該選択期間に続き、前記液晶表示画素の電荷を保持する為の保持期間を有する事を特徴とする２端子型アクティブマトリクス液晶表示装置の駆動方法。
　【請求項２】前記走査信号は前記液晶表示画素及び前記２端子型スイッチング素子に第１の極性の電圧を印加する第１の選択期間と第２の極性の電圧を印加する第２の選択期間を有し、それぞれの選択期間に先立つ電流印加期間では該選択期間の電圧と逆極性の電圧が前記２端子型スイッチング素子に印加される事を特徴とする請求範囲第１項の２端子型アクティブマトリクス液晶表示装置の駆動方法。
　【請求項３】前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間と逆極性の書込みをする選択期間の電位と等しい電位を有する事を特徴とする請求範囲第２項の２端子型アクティブマトリクス液晶表示装置の駆動方法。
　【請求項４】前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間の電圧と逆極性の電圧及び同極性の電圧が前記２端子型スイッチング素子に印加される事を特徴とする請求範囲第１項の２端子型アクティブマトリクス液晶表示装置の駆動方法。
　【請求項５】前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間と逆極性の書込みをする選択期間の電位と等しい電位あるいは、該選択期間と同極性の選択期間の電位と等しい電位を有する事を特徴とする請求範囲第４項の２端子型アクティブマトリクス液晶表示装置の駆動方法。
　【請求項６】前記走査信号は前記２端子型スイッチング素子に第１の極性の電圧を印加する第１の選択期間と第２の極性の電圧を印加する第２の選択期間を有し、それぞれの選択期間に先立つ電流印加期間の電位の絶対値は該選択期間の電位の絶対値より大きい事を特徴とする請求範囲第１項の２端子型アクティブマトリクス液晶表示装置の駆動方法。
　【請求項７】前記走査信号の電流印加期間の長さは選択期間の長さと等しい事を特徴とする請求範囲第１項の２端子型アクティブマトリクス液晶表示装置の駆動方法。
　【請求項８】前記走査信号の電流印加期間の長さは選択期間の長さより長い事を特徴とする請求範囲第１項の２端子型アクティブマトリクス液晶表示装置の駆動方法。
　【請求項９】前記走査信号の電流印加期間は他の走査線に印加される走査信号の選択期間を利用する事を特徴とする請求範囲第１項の２端子型アクティブマトリクス液晶表示装置の駆動方法。
　【請求項１０】前記走査信号の選択期間と該選択期間に先立つ電流印加期間は連続している事を特徴とする請求範囲第１項の２端子型アクティブマトリクス液晶表示装置の駆動方法。
　【請求項１１】前記走査信号の電流印加期間と選択期間の間に２端子型スイッチング素子に電流を印加しない電位を有する期間が挿入されている事を特徴とする請求範囲第１項の２端子型アクティブマトリクス液晶表示装置の駆動方法。
　【請求項１２】前記データ信号がそれぞれの期間で取り得る最大値と最小値の中間値を基準電位とした時に、該基準電位は選択期間と該選択期間に先立つ電流印加期間で変動する事を特徴とする請求範囲第１項の２端子型アクティブマトリクス液晶表示装置の駆動方法。
　【請求項１３】複数のデータ線及び走査線、と該データ線及び走査線の交点に対応して設けられた液晶画素を有し、該液晶画素は少なくとも１つの２端子型スイッチング素子とを有し、且つ該走査線、データ線、該液晶画素及び該２端子型スイッチング素子とを制御するコントロール回路を含む制御手段を有しており、該制御手段の制御信号に応答して、該走査線に印加される走査信号とデータ線に印加されるデータ信号により液晶表示画素が駆動される２端子型アクティブマトリクス液晶表示装置であって、当該制御手段には、少なくとも該走査信号が該液晶表示画素に蓄積される電荷を書き込む為の所定の選択期間に先立って、該２端子型スイッチング素子２に電流を印加する為、電流印加期間を設定する電流印加期間設定手段、該電流印加期間中に該２端子型スイッチング素子に印加される電流の極性を決定する極性設定手段、該２端子型スイッチング素子に印加される電流の電圧を設定する為の電圧設定手段及び該２端子型スイッチング素子に印加される電流の印加回数を適宜の回数に設定する電流印加回数設定手段４とが設けられているものである事を特徴とする２端子型アクティブマトリクス液晶表示装置。」を
「【請求項１】複数のデータ線及び走査線と、該データ線及び走査線の交点に対応して設けられた液晶画素を有し、該液晶画素は少なくとも１つの２端子型スイッチング素子とを有し、走査線に印加される走査信号とデータ線に印加されるデータ信号により液晶表示画素が駆動される２端子型アクティブマトリクス液晶表示装置の駆動方法に於いて、該走査信号は、前記液晶表示画素に蓄積される電荷を書き込む為の選択期間と、該選択期間に先立つ複数の他の走査信号の選択期間を利用して前記２端子型スイッチング素子に閾値電圧以上の電圧を加えて電流を印加する複数回の電流印加期間と、該選択期間に続き、前記液晶表示画素の電荷を保持する為の保持期間を有し、該選択期間の直前の該電流印加期間の電圧は選択期間の電圧と逆極性である事を特徴とする２端子型アクティブマトリクス液晶表示装置の駆動方法。
　【請求項２】前記走査信号は前記２端子型スイッチング素子に第１の極性の電圧を印加する第１の選択期間と第２の極性の電圧を印加する第２の選択期間を有し、それぞれの選択期間に先立つ前記電流印加期間では該選択期間の電圧と逆極性の前記閾値電圧以上の電圧が前記２端子型スイッチング素子に印加される事を特徴とする請求範囲第１項の２端子型アクティブマトリクス液晶表示装置の駆動方法。
　【請求項３】前記走査信号は前記２端子型スイッチング素子に第１の極性の電圧を印加する第１の選択期間と第２の極性の電圧を印加する第２の選択期間を有し、それぞれの選択期間に先立つ前記電流印加期間では該選択期間と逆極性の書込みをする選択期間の電位と等しい電位を有する事を特徴とする請求範囲第２項の２端子型アクティブマトリクス液晶表示装置の駆動方法。
　【請求項４】前記走査信号は前記２端子型スイッチング素子に第１の極性の電圧を印加する第１の選択期間と第２の極性の電圧を印加する第２の選択期間を有し、それぞれの選択期間に先立つ前記電流印加期間では該選択期間の電圧と逆極性の電圧及び同極性の電圧が前記２端子型スイッチング素子に前記閾値電圧以上で印加される事を特徴とする請求範囲第１項の２端子型アクティブマトリクス液晶表示装置の駆動方法。
　【請求項５】前記走査信号は前記２端子型スイッチング素子に第１の極性の電圧を印加する第１の選択期間と第２の極性の電圧を印加する第２の選択期間を有し、それぞれの選択期間に先立つ前記電流印加期間の電位の絶対値は該選択期間の電位の絶対値より大きく、且つ前記２端子型スイッチング素子の前記閾値電圧以上である事を特徴とする請求範囲第１項の２端子型アクティブマトリクス液晶表示装置の駆動方法。
　【請求項６】前記走査信号の前記電流印加期間の長さは前記選択期間の長さと等しい事を特徴とする請求範囲第１項の２端子型アクティブマトリクス液晶表示装置の駆動方法。
　【請求項７】前記走査信号の前記電流印加期間の長さは前記選択期間の長さより長い事を特徴とする請求範囲第１項の２端子型アクティブマトリクス液晶表示装置の駆動方法。
　【請求項８】前記走査信号の前記選択期間と該選択期間に先立つ前記電流印加期間は連続している事を特徴とする請求範囲第１項の２端子型アクティブマトリクス液晶表示装置の駆動方法。
　【請求項９】前記走査信号の選択期間の電圧と逆極性の電圧が印加される該選択期間の直前の前記電流印加期間と前記選択期間の間に前記２端子型スイッチング素子に電流を印加しない電位を有する期間が挿入されている事を特徴とする請求範囲第１項の２端子型アクティブマトリクス液晶表示装置の駆動方法。　
　【請求項１０】前記データ信号がそれぞれの期間で取り得る最大値と最小値の中間値を基準電位とした時に、該基準電位は前記選択期間と該選択期間に先立つ前記電流印加期間で変動する事を特徴とする請求範囲第１項の２端子型アクティブマトリクス液晶表示装置の駆動方法。
　【請求項１１】複数のデータ線及び走査線、と該データ線及び該走査線の交点に対応して設けられた液晶画素を有し、該液晶画素は少なくとも１つの２端子型スイッチング素子とを有し、且つ該走査線、該データ線、該液晶画素及び該２端子型スイッチング素子とを制御するコントロール回路を含む制御手段を有しており、該制御手段の制御信号に応答して、該走査線に印加される走査信号と該データ線に印加されるデータ信号により該液晶表示画素が駆動される２端子型アクティブマトリクス液晶表示装置であって、当該制御手段には、少なくとも該走査信号が該液晶表示画素に蓄積される電荷を書き込む為の所定の選択期間に先立って、該２端子型スイッチング素子に電流を印加する為、電流印加期間を設定する電流印加期間設定手段、該電流印加期間中に該２端子型スイッチング素子に印加される電流の極性を決定する極性設定手段、少なくとも該電流印加期間に該２端子型スイッチング素子に閾値電圧以上の電圧を設定する為の電圧設定手段及び該２端子型スイッチング素子に印加される電流の印加回数を適宜の複数の回数に設定する電流印加回数設定手段とが設けられているものである事を特徴とする２端子型アクティブマトリクス液晶表示装置。」（以下、請求項１〜１１に係る発明を、それぞれ「本件発明１」〜「本件発明１１」という。）と訂正する。
・訂正事項ｂ
　特許明細書第９頁第２行目（特許公報第９欄第１８行目）の
「Ｈ´（ｎ＋１）は及び負極性の」を
「Ｈ´（ｎ＋１）及び負極性の」と訂正する。
　特許明細書第９頁第７〜８行目（特許公報第９欄第２４行目）の
「取っている期間２６と３１であり、」を
「取っている期間は２６と３１であり、」と訂正する。
　特許明細書第１１頁第２１行目（特許公報第１１欄第４行目）の
「正極性の選択期間ならの２行前の期間」を
「正極性の選択期間ならば２行前の期間」と訂正する。
　特許明細書第１２頁第９行目（特許公報第１１欄第２２行目）の
「電圧が逆極性の為最大電流となる。このように電流が」を
「電圧が逆極性のとき最大電流となる。このように電流が」と訂正する。
（５４）【発明の名称】
２端子型アクティブマトリクス液晶表示装置及びその駆動方法
【発明の詳細な説明】
技術分野
　液晶表示装置は低消費電力のフラットパネルディスプレイとして広く応用されている。中でも、スイッチング素子を各画素に作り込んで駆動するアクティブマトリクス方式は大容量高品質の表示素子としてテレビ、情報端末等に用いられつつある。スイッチング素子としては３端子型のＴＦＴ（薄膜トランジスタ）と２端子型のダイオードやＭＩＭ等の非線形抵抗素子が使われる。２端子型は製造が３端子型に対して簡単であり今後が期待されている。本発明は２端子型のスイッチング素子を用いた２端子型アクティブマトリクス液晶表示装置及びその駆動方法に関する。
背景技術
　図３に２端子型スイッチング素子を用いたアクティブマトリクス液晶表示装置のブロック図を示す。マトリクス表示パネル３にはデータ線Ｄ１，Ｄ２，…，ＤＭと走査線Ｓ１，Ｓ２，…，ＳＮがマトリクス状に配置されている。その交点に対応して液晶画素１と２端子型スイッチング素子２が設置されている。データ線にはデータ線ドライバ回路４からデータ信号が供給され、走査線には走査線ドライバ回路５から走査信号が供給される。データ線ドライバ回路４及び走査線ドライバ回路５にはクロック及び画像信号７を処理するコントロール回路及び電源回路６が接続されている。２端子型スイッチング素子としては金属−絶縁体−金属（導体）構造を有し非線形の電流−電圧特性を有するＭＩＭが用いられる事が多い。ＭＩＭの代表的な構造としては下電極がＴａ、絶縁膜が該Ｔａの陽極酸化膜（ＴａＯｘ）、上電極がＩＴＯ（透明導電体）から成るものがあり、２枚のパタン（マスク）で製造可能である。
　図２は従来のダイオード、ＭＩＭ等の２端子型アクティブマトリクス液晶表示装置の駆動方法に於ける走査信号形およびデータ信号波形である（公開特許公報昭５９−５７２８８）。φ（ｎ）、φ（ｎ＋１）はそれぞれｎ本目及びｎ＋１本目の走査線に印加される走査信号である。
　走査信号は液晶表示画素に蓄積する電荷を書き込む為の選択期間と該電荷を保持する為の保持期間を有する。一般に液晶表示画素は両極性の電圧で駆動する必要がある為選択期間は、選択電位Ｖａ１を有し前記液晶表示画素及び前記２端子型スイッチング素子に正極性の電圧を印加し液晶表示画素に正の電荷を書き込む第１の選択期間Ｈ（ｎ）、Ｈ´（ｎ＋１）と、選択電位Ｖａ２を有し負極性の電圧を印加し液晶表示画素に負の電荷を書き込む第２の選択期間Ｈ´（ｎ）、Ｈ（ｎ＋１）とを有する。それ以外の非選択期間は保持電位Ｖｂ１，Ｖｂ２を有し保持期間となる。
　又、ｍ本目データ線に印加されるデータ信号Ｄ（ｍ）はデータ電気Ｖｄ１とＶｄ２の間の電位をとる。階調表示は振幅変調或いはパルス幅変調のどちらかが用いられ、図２では後者の例を示した。１２は基準電位であり本図では一定電位で描いている系全体で変動しても原理的には等価な為、ドライバ回路の電源電圧の関係によっては変動させる事が多い。図ではＶａ１，Ｖａ２及びＶｂ１，Ｖｂ２をそれぞれ基準電位に対し対称で示したが２端子型スイッチング素子の特性が非対称の場合には非対称にする事もある。また本例ではｎ本目とｎ＋１本目の連続する選択期間Ｈ（ｎ）、Ｈ（ｎ＋１）及びＨ´（ｎ）、Ｈ´（ｎ＋１）の選択電位の極性が反転しており行毎反転の例に対応するが、フィールド毎反転の場合も多い。
　次に、図４（Ａ）〜図４（Ｄ）を用いて従来の駆動法の問題点を説明する。２端子型スイッチング素子によるアクティブマトリクス液晶表示装置、特にＭＩＭをスイッチング素子として用いた場合の最大の問題は画像の焼き付きや残像現象である。図４（Ａ）はノーマリー白表示の場合に、白、中間調、黒、中間調と順次表示する時の理想の透過率の変化を示したものであり、図４（Ｂ）は同じ表示に対する実際の透過率の変化を示したものである。図４（Ｂ）の透過率変化波形は図４（Ａ）の波形とは一致しない。白から中間調に変化する場合中間調よりやや暗い像が１７の如く一定期間焼き付き、逆に黒から中間調に変化する場合は中間調よりやや明るい像が１８の如く一定期間焼き付いてしまう。これはスイッチング素子の閾値電圧Ｖｔｈが変化する事による。この変化はスイッチング素子を流れる電流量に依存し、電流量が多い状態がある程度連続すると閾値電圧Ｖｔｈは増加、逆に少ない電流量に対してはＶｔｈが減少する傾向にある。スイッチング素子を流れる電流量は選択期間に印加される電圧に依存し、印加される電圧は表示する階調の程度に依存する。ノーマリー白の場合暗い程大きく、図４（Ａ）のような階調変化をさせた時のスイッチング素子を流れる電流量は図４（Ｃ）のように変化する。よって、閾値電圧の変化は図４（Ｄ）のようになり、階調変化時点から安定状態迄の一定期間は残像、焼き付きが生ずる事になる。閾値電圧Ｖｔｈは白或いは黒でも変化しており、原理的には白或いは黒でも焼き付きは生じている。但し、白或いは黒状態は印加電圧に対する透過率変化が少なく中間調で焼き付きが最も顕著となる。
　以上のように流れる電流量によって素子特性が変化するスイッチング素子を用いた２端子型アクティブマトリクス液晶表示装置では、該特性変化によって生ずる画像の焼き付き、残像が問題になる。従来の駆動法では、液晶画素に表示する階調によってスイッチング素子を流れる電流量が異なり、この現象を取り除く事が出来ない。本発明の目的は従来例に比較してスイッチング素子に流れる電流量を大きくする事により画像焼き付き、現像現象を改善し得る駆動法を提供する事にある。
発明の開示
　上記の目的を達成する為に本発明の２端子アクティブマトリクス液晶表示装置の駆動法では走査信号として選択期間と該選択期間に先立つ電流印加期間と該選択期間に続く保持期間を有する信号を用いる事を特徴としており、その基本的な技術構成は、複数のデータ線及び走査線と、該データ線及び走査線の交点に対応して設けられた液晶画素を有し、該液晶画素は、少なくとも１つの２端子型スイッチング素子とを有し、走査線に印加される走査信号とデータ線に印加されるデータ信号により液晶画素が駆動される２端子型アクティブマトリクス液晶表示装置の駆動方法に於いて、該走査信号は
、
つ複数の他の走査信号の選択期間を利用して
閾値電圧以上の電圧を加えて
る複数回の電
し、該選択期間の直前の該電流印加期間の電圧は選択期間の電圧と逆極性であ
　更に本発明の他の技術構成としては上記したように上述の液晶表示装置の駆動させる駆動方法である。
図面の簡単な説明
　図１は本発明の２端子型アクティブマトリクス液晶表示装置を駆動方法の一実施例に於ける駆動波形である。
　図２は従来の２端子型アクティブマトリクス液晶表示装置の駆動方法に於ける駆動波形である。
　図３は代表的な２端子型スイッチング素子を用いたアクティブマトリクス液晶表示装置のブロック図である。
　図４は従来の駆動方法の問題点の説明図である。
　図５は本発明の駆動方法の効果を示す説明図である。
　図６は本発明の駆動方法の他の実施例に於ける走査信号波形である。
　図７は本発明の駆動方法の他の実施例に於ける駆動波形である。
　図８は本発明の液晶表示装置の構成例を示すブロック図である。
発明を実施するための最良の形態
　以下、本発明の実施例について図面を参照しながら詳細に説明する。
　第８図は本発明に係る２端子型アクティブマトリクス液晶表示装置の構成例を示すブロックダイアグラムであり、基本的な構造は第３図に示された従来の液晶表示装置と実質的に同一であり、同じ機能をもつ部材には同一の符号が付されているので、ここでは詳細な説明は略称する。
　本発明に係る２端子型アクティブマトリクス液晶表示装置が、係る図３の従来の２端子型アクティブマトリクス液晶表示装置と異なる部分は、コントロール回路６であり、本発明に於いては、係るコントロール回路６に、更に選択期間に先立って、第２端子型スイッチング素子２に電流を印加する為の電流印加期間を設定する電流印加期間設定手段６１、該電流印加期間中に該２端子型スイッチング素子２に印加される電流の極性を決定する極性設定手段６２、第２端子型スイッチング素子２に印加される電流の電圧を決定する電圧設定手段６３及び該２端子型スイッチング素子２に印加される電流の印加回数を決定する印加回数設定手段６４とが設けられており、係る各手段は、適宜の制御手段により制御される様に構成されているものである。
　つまり、第８図には本発明にかかる液晶表示装置の構成例が示されており、その構成は、例えば、複数のデータ線及び走査線、と該データ線及び走査線の交点に対応して設けられた液晶画素を有し、該液晶画素は少なくとも１つの２端子型スイッチング素子とを有し、且つ該走査線、データ線、該液晶画素及び該２端子型スイッチング素子とを制御するコントロール回路を含む制御手段を有しており、該制御手段の制御信号に応答して、該走査線に印加される走査信号とデータ線に印加されるデータ信号により液晶表示画素が駆動される２端子型アクティブマトリクス液晶表示装置であって、当該制御手段には、少なくとも該走査信号が該液晶表示画素に蓄積される電荷を書き込む為の所定の選択期間に先立って、該２端子型スイッチング素子２に電流を印加する為、電流印加期間を設定する電流印加期間設定手段、該電流印加期間中に該２端子型スイッチング素子に印加される電流の極性を決定する極性設定手段、該２端子型スイッチング素子に印加される電流の電圧を設定する為の電圧設定手段及び該２端子型スイッチング素子に印加される電流の印加回数を適宜の回数に設定する電流印加回数設定手段４とが設けられている２端子型アクティブマトリクス液晶表示装置である。
　更に第８図には、複数のデータ線及び走査線と、該データ線及び走査線の交点に対応して設けられた液晶画素を有し、該液晶画素は少なくとも１つの２端子型スイッチング素子とを有し、走査線に印加される走査信号とデータ線に印加されるデータ信号により液晶表示画素が駆動される２端子型アクティブマトリクス液晶表示装置の駆動方法に於いて、該走査信号は前記液晶表示画素に蓄積される電荷を書き込む為の選択期間と、該選択期間に先立ち、前記２端子型スイッチング素子に電流を印加する為の電流印加期間と、該選択期間に続き、前記液晶表示画素の電荷を保持する為の保持期間を有する２端子型アクティブマトリクス液晶表示装置の駆動方法も示されている。
　又本発明における液晶駆動方法においては、前記走査信号は前記液晶表示画素及び前記２端子型スイッチング素子に第１の極性の電圧を印加する第１の選択期間と第２の極性の電圧を印加する第２の選択期間を有し、それぞれの選択期間に先立って電流印加期間では該選択期間の電圧と逆極性の電圧が前記２端子型スイッチング素子に印加されるようにすることが出来る。
　更に本発明においては、前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間と逆極性の書込みをする選択期間の電位と等しい電位を有するように駆動させてもよい。
　更に又、本発明の駆動方法においては、前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間の電圧と逆極性の電圧及び同極性の電圧が前記２端子型スイッチング素子に印加されるように構成することも出来る。
　本発明においては、前記走査信号は前記２端子型スイッチング素子に第１の極性の電圧を印加する第１の選択期間と第２の極性の電圧を印加する第２の選択期間を有し、それぞれの選択期間に先立つ電流印加期間では該選択期間と逆極性の書込みをする選択期間の電位と等しい電位あるいは、該選択期間と同極性の選択期間の電位と等しい電位を有することが好ましい。
　一方本発明の液晶駆動方法においては、前記走査信号は前記２端子型スイッチング素子に第１の極性の電圧を印加する第１の選択期間と第２の極性の電圧を印加する第２の選択期間を有し、それぞれの選択期間に先立つ電流印加期間の電位の絶対値は該選択期間の電位の絶対値より大きく設定してもよく又、前記走査信号の電流印加期間の長さは選択期間の長さと等しくなるように設定してもよい。
　又、本発明における上記液晶駆動方法においては、前記走査信号の電流印加期間の長さは選択期間の長さより長く設定してもよく更には前記走査信号の電流印加期間は他の走査線に印加される走査信号の選択期間を利用したものであっても良い。
　次に、本発明の液晶駆動方法においては、前記走査信号の選択期間と該選択期間に先立つ電流印加期間は連続するように構成してもよく前記走査信号の電流印加期間と選択期間の間に２端子型スイッチング素子に電流を印加しない電位を有する期間が挿入されるように構成してもよい。
　更には前記データ信号がそれぞれの期間で取り得る最大値と最小値の中間値を基準電位とした時に、該基準電位は選択期間と該選択期間に先立つ電流印加期間で変動するように構成してもよい。
　上記した本発明における液晶表示装置の駆動方法の各態様についてそれぞれ具体例を以下に説明する。
　即ち、図１（Ａ）〜図１（Ｄ）に本発明の駆動法の一実施例を示す。φ（ｎ）、φ（ｎ＋１）はそれぞれｎ本目及びｎ＋１本目の走査線に印加される走査信号である。この実施例は図１（Ｃ）２４で示した各期間の選択極性で明らかな通りいわゆる行毎反転の例を示している。勿論本発明は行毎反転に制限されるものではなく、フレーム反転や行内反転でも有効である。走査信号φ（ｎ）は正極性の選択期間Ｈ（ｎ）、及び負極性の選択期間Ｈ´（ｎ）を、走査信号φ（ｎ＋１）は正極性の選択期間Ｈ´（ｎ＋１
）及
間は
　本発明の特徴は選択期間に先立つ期間にある。走査信号φ（ｎ）では正極性の選択期間Ｈ（ｎ）に先立つ期間Ｈ（ｎ−１）及びＨ（ｎ−２）では保持電位を取らない期間が存在する。この期間を電流印加期間と呼ぶと図１では２７と２８に対応する。液晶画素に書き込まれ蓄積される電圧は選択期間Ｈ（ｎ）の選択電位期間２６で決定され、本来ならその直前の期間は画像に大きな影響は与えない。本発明は画像への影響が最も小さいこの期間を利用して２端子型スイッチング素子に大きな電圧を与える事により電流を印加する事を特徴としている。具体的には正極性の選択期間Ｈ（ｎ）の直前の期間Ｈ（ｎ−１）には極性の異なる大きな電位、ここでは負極性の選択電位Ｖａ２を印加する期間２７を設け、更にその前の期間Ｈ（ｎ−２）には期間２７と極性の異なる大きな電位、ここでは正極性の選択電位Ｖａ１を印加する期間２８を設けている。負極性の選択期間Ｈ´（ｎ）に対しても同様で、直前の期間Ｈ´（ｎ−１）には極性の異なる大きな電位、ここでは正極性の選択電位Ｖａ１を印加する期間３２を設け、更にその前の期間Ｈ´（ｎ−２）には期間３２と極性の異なる大きな電位、ここでは負極性の選択電位Ｖａ２を印加する期間３３を設けている。
　本実施例では例えば選択期間Ｈ（ｎ）の直前の期間Ｈ（ｎ−１）では電流印加期間２７以外に２９の期間が設けられている。同様の期間が３０，３４，３５にも設けられている。このような期間はなくても構わない。即ちＨ（ｎ−１）＝２７、Ｈ（ｎ−２）＝２８としても問題ない。但し、走査線ドライバ回路によっては２９，３０，２０，２１を設ける事が有効である。例えばＶａ１→Ｖｂ１→Ｖａ２→Ｖｂ２の順で変化する走査信号を発生するドライバ回路の場合タイミングを変更するだけ回路は変更せずに本発明の信号を発生する事が出来る。
　ｍ本目のデータ線に印加されるデータ信号Ｄ（ｍ）は、図２の従来例と同様２５の如くデータ電位Ｖｄ１とＶｄ２の間の電位をとる。階調表示は振幅変調或いはパルス幅変調のどちらかが用いられ、図１（Ａ）〜図１（Ｄ）では後者の例を示した。２２は基準電位であり本図では一定電位で描いているが系全体で変動してもかまわない。図１ではＶａ１，Ｖａ２及びＶｂ１，Ｖｂ２をそれぞれ基準電位に対し対称で示したが非対称にする事もある。また本例は行毎反転の例に対応するが、フィールド反転や行内反転でもよい。
　図６（Ａ）〜図６（Ｄ）に本発明の他の実施例の走査信号φ（ｎ）を示す。タイミングは図１（Ａ）〜図１（Ｄ）の実施例に用いた走査信号φ（ｎ）に対応しており、選択期間Ｈ（ｎ）、Ｈ´（ｎ）やそれに続く保持期間は同一であり、電流印加期間のみ異なっている。
　図６（Ａ）の実施例の走査信号φ（ｎ）の電流印加期間３４，３５は選択期間Ｈ（ｎ）、Ｈ´（ｎ）の直前の２行分の期間Ｈ（ｎ−１）、Ｈ（ｎ−２）及びＨ´（ｎ−１）、Ｈ´（ｎ−２）にまたがっており、且つ同極性、同一電位を取っている。行毎反転法でこのような方法を用いた場合、２行分のデータ信号の平均値は１行分に比べ一定値に近く電流印加期間にスイッチング素子に流れる電流が映像に依存しにくいというメリットがある。
　図６（Ｂ）の実施例の走査信号φ（ｎ）の電流印加期間３６，３７は選択期間Ｈ（ｎ）、Ｈ´（ｎ）の１行前の期間Ｈ（ｎ−１）、Ｈ´（ｎ−１）と３行前の期間Ｈ（ｎ−３）、Ｈ´（ｎ−３）にまたがっており、且つ同極性、同一電位を取っている。行毎反転法の場合、Ｈ（ｎ）が走査信号φ（ｎ）の正極性の選択期間ならば、１行前の期間Ｈ（ｎ−１）と３行前の期間Ｈ（ｎ−３）はそれぞれ走査信号φ（ｎ−１）、φ（ｎ−３）の負極性の選択期間に対応する。よって本例ではφ（ｎ）の電流印加期間３６の電位Ｖａ２は同時に選択されている走査線の走査信号の選択電位と同極性、同一電位である。同様に電流印加期間３７の電位Ｖａ１も同様に選択されている走査線の走査信号φ（ｎ−１）、φ（ｎ−３）の選択電位と同極性、同一電位である。このように電流印加期間の電位を同時に選択されている走査線の走査信号と同極性とすると、電源揺動法や図７（Ａ）、図７（Ｂ）の基準電位揺動法で回路の電圧振幅を低減する事が可能である。さらに同一電位とすれば電位数も削減出来る。
　図６（Ｃ）の実施例の走査信号φ（ｎ）Ｂの電流印加期間３８，３９は選択期間Ｈ（ｎ）、Ｈ´（ｎ）の２行前の期間Ｈ（ｎ−２）、Ｈ´（ｎ−２）で、且つ選択期間電位と逆極性を取っている。また、期間４０，４１では、保持電位Ｖｂ２，Ｖｂ１をとる。行毎反転法の場合、Ｈ（ｎ）が走査信号φ（ｎ）の正極性の選択期間なら
ば
とき
　以上の例では電流印加期間での電位は選択電位Ｖａ１，Ｖａ２と同じものを用いており、回路の電源数節約の点では非常にメリットが大きい。しかし本発明では必ずしも選択電位と同電位である必要はない。図６（Ｄ）の実施例の走査信号φ（ｎ）では、電流印加期間での電位は、期間４３，４４ではＶｃ１、期間４２、４５ではＶｃ２と選択電位とは異なる大きな電位を用いている。
　図７（Ａ）〜図７（Ｂ）は原理的に図１と全く等価であり、図１（Ａ）〜図１（Ｄ）の基準電位２２を５０のように行毎に振って走査信号振幅を低減した例である。反対にデータ信号振幅は増加している。駆動波形は一見違ったものに見えるが等価である。本発明はこのような揺動電位に対しても基準電位固定で記述して等価ならば該当する。
　以上の実施例では１行ないし２行分の電流印加期間の例を示したが３本以上でも構わない。また連続でも不連続でも同様である。同様に保持期間も選択期間の後であれば連続である必要はない。
発明の効果
　図４（Ａ）〜図４（Ｄ）で従来の駆動法の問題点を説明したように、２端子型スイッチング素子によるアクティブマトリクス液晶表示装置の最大の問題点は画像の焼き付きや残像現象であり、スイッチング素子の閾値電圧Ｖｔｈが流れる電流量に依存し変化する事による。本発明では特に設けた電流印加期間によって、強制的にスイッチング素子に電流を印加し、閾値Ｖｔｈを変化させて安定させることにより焼き付き、残像を低減させるものである。
　発明の効果を図５で説明する。例えば図１（Ａ）〜図１（Ｄ）での実施例の場合、選択期間の前に極性の異なる２つの電流印加期間が設けられ強制的にスイッチング素子に電流が印加されている。図５（Ｃ）に示す素子に流れる電流は、図４（Ｃ）に示す電流と比べ３倍の頻度で増加している。図１の実施例ではまだ階調による電流量の差があるが、絶対量の増加により階調によるＶｔｈ変化量は、図５（Ｄ）の方が図４（Ｄ）より減少している。その結果、図５（Ａ）の理想の透過率変化に対する図５（Ｂ）の実際の透過率変化に現れる焼き付き４８，４９は大幅に減少している。改善効果は図６（Ａ），（Ｃ），（Ｄ）の方が図１や図６（Ｂ）よりやや大きい。
（５７）【特許請求の範囲】
　１．　複数のデータ線及び走査線と、該データ線及び走査線の交点に対応して設けられた液晶画素を有し、該液晶画素は少なくとも１つの２端子型スイッチング素子とを有し、走査線に印加される走査信号とデータ線に印加されるデータ信号により液晶表示画素が駆動される２端子型アクティブマトリクス液晶表示装置の駆動方法に於いて、
　該走査信号は
、
つ複数の他の走査信号の選択期間を利用して
閾値電圧以上の電圧を加えて
る複数回の電
し、該選択期間の直前の該電流印加期間の電圧は選択期間の電圧と逆極性であ
　２．　前記走査信号
は前記
前記
前記閾値電圧以上の
　３．　前記走査信号は前記２端子型スイッチング素子に第１の極性の電圧を印加する第１の選択期間と第２の極性の電圧を印加する第２の選択期間を有し、それぞれの選択期間に先立つ
前記
　４．　前記走査信号は前記２端子型スイッチング素子に第１の極性の電圧を印加する第１の選択期間と第２の極性の電圧を印加する第２の選択期間を有し、それぞれの選択期間に先立つ
前記
前記閾値電圧以上で
　５．　前記走査信号は前記２端子型スイッチング素子に第１の極性の電圧を印加する第１の選択期間と第２の極性の電圧を印加する第２の選択期間を有し、それぞれの選択期間に先立つ
前記
く、且つ前記２端子型スイッチング素子の前記閾値電圧以上である
　６．　前記走査信号の
前記
前記
　７．　前記走査信号の
前記
前記
　８．　前記走査信号の
前記
前記
　９．　前記走査信号の
選択期間の電圧と逆極性の電圧が印加される該選択期間の直前の前記
前記
前記
　１０．前記データ信号がそれぞれの期間で取り得る最大値と最小値の中間値を基準電位とした時に、該基準電位は
前記
前記
　１１．複数のデータ線及び走査線、と該データ線及び
該
該
該
該
　当該制御手段には、少なくとも該走査信号が該液晶表示画素に蓄積される電荷を書き込む為の所定の選択期間に先立って、該２端子型スイッチング素
子に
少なくとも該電流印加期間に
閾値電圧以上
複数の
段と